(57)【特許請求の範囲】
【請求項１】
底壁２周縁から起立する上部小径のテーパ状第１胴部３上端から、直接ないし間接にヒンジ状部５を介して第１胴部下内方へ肩部６を突出し、該肩部内周縁から、該肩部上面が形成する凹部内へ位置させてキャップ７付きの口頸部８を起立する合成樹脂製の可撓性肉薄容器体１と、上記第１胴部３上端面を頂壁16で閉塞して該頂壁周縁から垂下した第２胴部17を、第１胴部３外面へ内面を接して嵌合させた、補強用紙筒15とからなり、上記第２胴部17上部に平行な二本の破断線22、22を周設することで両破断線間の胴部筒壁部分を除去帯23となし、該除去帯一部を引起し可能な摘み片24とし、又該第２胴部17の前後両壁19、19の中央部に、第１胴部３圧搾用の大透孔18,18 を穿設すると共に、第２胴部17に小孔20を穿設し、かつ該小孔内へ第１胴部３から突設した小突部11を嵌合させて、該小突部外面へ接着テープ21の中央部を、又小孔20周辺へ接着テープの外周部を、それぞれ接着させた
ことを特徴とする紙筒覆合容器。
【請求項２】
下端に外向きフランジ９を有して下端面を開口する、上部小径のテーパ状第１胴部３上端から、直接ないし間接にヒンジ状部５を介して第１胴部下内方へ肩部６を突出し、該肩部内周縁から該肩部上面が形成する凹部内へ位置させてキャップ７付きの口頸部８を起立する合成樹脂製の可撓性ある無底肉薄容器体１と、上記第１胴部３の上端面を頂壁16で閉塞して該頂壁周縁から垂下した第２胴部17を、第１胴部３外面へ内面を接して嵌合させた補強用紙筒15とからなり、上記第２胴部17の上部に平行な二本の破断線22、22を周設することで、両破断線間の胴部筒壁部分を除去帯23となし、該除去帯一部を引き起し可能な摘み片24とし、又該第２胴部17の前後両壁19, 19の中央部に、第１胴部３圧搾用の大透孔18、18を穿設すると共に、第２胴部17に小孔20を穿設し、かつ該小孔内へ第１胴部３から突出させた小突部11を嵌合させて、該小突部外面へ接着テープ21の中央部を、又小孔20の周辺へ接着テープの外周部を、それぞれ接着させた
ことを特徴とする紙筒覆合容器形成部材。
【発明の詳細な説明】
【０００１】
【産業上の利用分野】
本発明は合成樹脂製の可撓性ある肉薄容器体の胴部外面へ補強用の紙筒を嵌合させた紙筒覆合容器と紙筒覆合容器形成部材とに関する。
【０００２】
【従来の技術】
合成樹脂製の肉薄容器体の胴部外面へ補強用紙筒を嵌合させた容器が広く使用されており、該紙筒覆合容器は、肉薄容器体の胴部外面へ補強用紙筒を嵌合させて形成している。
【０００３】
【発明が解決しようとする課題】
上記紙筒覆合容器は、合成樹脂製容器体を肉薄とすることで材料を節約できるほか、廃棄時に容器体と紙筒とに分離処分することが出来、又誤って分離されないままで焼却された際に生ずる熱カロリーも、合成樹脂材料が少く、しかも紙筒を同時焼却することとなる関係から少くすることが出来て焼却炉を損傷しない等の利点を有する。このような利点から簡易容器としての、広い範囲での利用が期待されているが、通常肉薄容器体は、肩部上端から口頸部を起立し、該口頸部にキャップを嵌合させるから、例えば直方体の耐水性紙箱内へ飲料液体を収納し、その紙箱頂壁一部に内容物取出し用破断部を設けた紙箱容器に比べて、上記キャップ付き口頸部を有することが収納物取出し上便利である反面、そのキャップ付き口頸部が邪魔となって容器の積上げが出来難いことが、上記直方体の紙箱に対しての欠点となっていた。
【０００４】
本発明請求項１の容器は、輸送時は、積上げ可能に上面は平面であり乍ら、消費者が使用する際はキャップ付き口頸部を胴部上面から起立させて使用できるよう、又上記分離処分が容易であると共にそのまま焼却された場合でも焼却時のカロリー減少で炉の損傷を防止可能に設け、又収納物注出のための肉薄容器体の胴部圧搾を容易に行えるよう設けたものであり、請求項２の場合は、上記請求項１の容器形成を容易かつ迅速に行えるよう設けた、その容器の主要部材を提案するものである。
【０００５】
【課題を解決するための手段】
第１の手段として底壁２周縁から起立する上部小径のテーパ状第１胴部３上端から、直接ないし間接にヒンジ状部５を介して第１胴部下内方へ肩部６を突出し、該肩部内周縁から、該肩部上面が形成する凹部内へ位置させてキャップ７付きの口頸部８を起立する合成樹脂製の可撓性肉薄容器体１と、上記第１胴部３上端面を頂壁16で閉塞して該頂壁周縁から垂下した第２胴部17を、第１胴部３外面へ内面を接して嵌合させた、補強用紙筒15とからなり、上記第２胴部17上部に平行な二本の破断線22、22を周設することで両破断線間の胴部筒壁部分を除去帯23となし、該除去帯一部を引起し可能な摘み片24とし、又該第２胴部17の前後両壁19、19の中央部に、第１胴部３圧搾用の大透孔18,18 を穿設すると共に、第２胴部17に小孔20を穿設し、かつ該小孔内へ第１胴部３から突設した小突部11を嵌合させて、該小突部外面へ接着テープ21の中央部を、又小孔20周辺へ接着テープの外周部を、それぞれ接着させた。
【０００７】
第２の手段として、下端に外向きフランジ９を有して下端面を開口する、上部小径のテーパ状第１胴部３上端から、直接ないし間接にヒンジ状部５を介して第１胴部下内方へ肩部６を突出し、該肩部内周縁から該肩部上面が形成する凹部内へ位置させてキャップ７付きの口頸部８を起立する合成樹脂製の可撓性ある無底肉薄容器体１と、上記第１胴部３の上端面を頂壁16で閉塞して該頂壁周縁から垂下した第２胴部17を、第１胴部３外面へ内面を接して嵌合させた補強用紙筒15とからなり、上記第２胴部17の上部に平行な二本の破断線22、22を周設することで、両破断線間の胴部筒壁部分を除去帯23となし、該除去帯一部を引き起し可能な摘み片24とし、又該第２胴部17の前後両壁19, 19の中央部に、第１胴部３圧搾用の大透孔18、18を穿設すると共に、第２胴部17に小孔20を穿設し、かつ該小孔内へ第１胴部３から突出させた小突部11を嵌合させて、該小突部外面へ接着テープ21の中央部を、又小孔20の周辺へ接着テープの外周部を、それぞれ接着させた。
【０００９】
【作用】
図１の状態で合成樹脂製の可撓性に富む肉薄容器体１内へは液状の収納物が充填させてある。該状態で容器上面は平面状をなし、よって複数容器の積上げが可能である。
【００１０】
図３のように収納物注出のためにキャップ７付き口頸部８を上方へ引出すためには、摘み片24を起し外方へ引くことで破断線22，22切断により除去帯23を外す。次いで図３のように紙筒15上端の頂壁16付き部分を除き、更にキャップ７の引上げないし大透孔18，18内へ露出する肉薄容器体第１胴部３の前後両部分を圧搾することで、図３のように肩部６を反転させてキャップ付き口頸部８を上方へ起立させることが出来る。紙筒に大透孔18，18を設けない場合は、紙筒を介して第１胴部３を圧搾することとなる。口頸部等起立後はキャップ取外しにより、胴部圧搾又は振出しによって収納物を取出すことが出来る。
【００１１】
請求項２の紙筒覆合容器形成部材30は、既述容器から、底壁２を外した構造を有するもので、第１胴部３は上部小径のテーパ状として各胴部外面への嵌合により複数容器形成部材30を積重ね可能としている。各容器形成部材内への収納物充填の際は、各容器形成部材を倒立させてその下端開口から第１胴部３内へ収納物を充填した後、底板外周を第１胴部３下端の外向きフランジ９へ嵌合させるだけで、各容器形成部材30を請求項１の容器とすることが出来る。
【００１２】
【実施例】
１は、底壁２周縁から起立する第１胴部３上端に内向きフランジ４を付設し、該内向きフランジ内周縁からヒンジ状部５を介して第１胴部下内方へ肩部６を突出し、該肩部内周縁から、該肩部上面が形成する凹部内へ位置させて、キャップ７嵌合の口頸部８を起立させた合成樹脂製の可撓性に富む肉薄容器体である。
【００１３】
上記底壁２は、図４が示すように第１胴部３下端を予め下端面開口としておき、その開口面を別に設けた底板で閉塞して形成してもよく、又底壁外周から第１胴部を起立して形成してもよい。第１胴部３はその下端に上記底板接着用の外向きフランジ９を有し、又上部小径のテーパ状とし、その前後両壁の中央部を大きく、かつ左右両側壁下部を小さく、それぞれ外方へ僅かに押出した形状とすることで、円形の大突部10，10と短形状小突部11，11とを形成している。
【００１４】
既述第１胴部３上端の内向きフランジ４は必しも必要ではなく、第１胴部３上端から直接ヒンジ状部５を介して肩部６を第１胴部下内方へ突出してもよい。口頸部８も肩部内周縁から一体に形成して起立させてもよいが、図示例では肩部内周から更に内向きフランジ状壁6aを突出して、下端に外向きフランジ状壁8aを付設した口頸部８を別成形し、上記内向きフランジ状壁6a下面へ外向きフランジ状壁8aを接合させて口頸部８を起立している。
【００１５】
尚既述ヒンジ状部５は、肉薄容器体１を合成樹脂製の可撓性に富む肉薄とすれば、通常の肉薄ヒンジのように特にそのヒンジ部分を肉薄とする必要はなく、そのヒンジ状部５は自由に屈折ないし屈曲可能であればいい。
【００１６】
15は容器体補強用の紙筒で、容器体の第１胴部３上端面を頂壁16で閉塞して、該頂壁周縁から垂下する第２胴部17を、第１胴部３外面へ嵌合させている。既述大突部10，10を形成させた場合は、その大突部嵌合用の大透孔18，18を第２胴部17の前後両壁19，19に設け、又小突部11を設けた場合もその小突部嵌合用小孔20を左右両側壁下部に穿設する。
【００１７】
上記大透孔18，18は、その大透孔内へ嵌合する大突部10，10強制押込みにより、紙筒15の第２胴部17を変形させないまま第１胴部３だけを圧搾するためであり、又小孔20，20は図３から理解できるように、その小孔周辺の第２胴部17外面へ接着テープ21の周辺部を貼着すると同時にその接着テープの中央部を小突部11，11外面へ貼着することで、第１胴部３と第２胴部17とを連結するものである。従って小突部11，11以外の部分においては、第１胴部３と第２胴部17とは接着されず、よって上記のように紙筒15の第２胴部17を変形させないで肉薄容器体の第１胴部３だけを圧搾できる。それ等両胴部側壁一部の接着は、上記小孔等を設けず、直接接着剤で行ってもよい。
【００１８】
紙筒15の上部には、平行な二本の破断線22，22を周設することで、その両破断線間の第２胴部筒壁部分を除去帯23に形成している。破断線はミシン目状の線又は肉薄線で形成すればよい。除去帯一部は切断してその側部を引起し可能な摘み片24とする。
【００１９】
既述のように肉薄容器体１は、図４のように、第１胴部３下端面を開口させた状態で成形し、かつ補強用紙筒15を嵌合させて無底の紙筒覆合容器とした後、該無底の紙筒覆合容器を倒立させ、その第１胴部３内へ液状収納物を充填し、該充填後に別に設けた底板で第１胴部３下端面を閉塞して底壁２としてもよい。
【００２０】
上記無底の紙筒覆合容器を紙筒覆合容器形成部材30とする。従って該部材は無底とした既述構成の肉薄容器体１と、その外面へ嵌合させた補強用紙筒15とで形成することとなる。その肉薄容器体は第１胴部３を上部小径のテーパ状としており、従って該第１胴部３外面へ内面を接して嵌合させた、上記紙筒の第２胴部17も上部小径のテーパ状をなす。このように第１、第２胴部が形成する容器の周壁ないし胴部を上部小径のテーパ状とすることで、紙筒覆合容器形成部材30は重合せ嵌合により多数積上げ可能としている。又第１胴部３下端には別に設けた底板接着用の外向きフランジ９を付設している。
【００２１】
該紙筒覆合容器形成部材30は、上記のように第１胴部３および第２胴部17を上部小径のテーパ状としたこと、および肉薄容器体の第１胴部３下端面を開口し、かつその第１胴部下端に底板接着用の外向きフランジ９を付設したことをその条件とすることを除き、既述紙筒覆合容器と同一であり、よって説明を省略する。
【００２２】
【発明の効果】
本発明は既述構成とするものであり、請求項１の場合は、合成樹脂製の肉薄容器体外面へ補強用紙筒15を嵌合させて形成したから、容器体と紙筒とに分離できると共に、誤って分離しないままで廃棄した場合も廃棄後の焼却に際して発生する熱カロリーを低くすることが出来、よって焼却炉の損傷を防止できる一般的効果のほか、肩部６およびキャップ付き口頸部８を、肩部６が第１胴部３上端から直接ないし間接に第１胴部下内方へ突出して形成する凹部内へ位置させて設け、かつその第１胴部上端面を、第１胴部外面へ嵌合させた補強用紙筒15の頂壁16で閉塞したから、容器上面を平たくして複数容器の積上げ状態での輸送が可能であり、又補強用紙筒の第２胴部17上部には破断線周設により、除去帯23を設けたから、その除去帯使用によるその補強用紙筒上端部の除去により、上記キャップ付き口頸部を肩部６の反転により起立させて、使用することが出来る。又その起立の際、肩部６は下方小径のテーパ形状から、起立時中間の死点通過までは弾性に抗し圧縮されて、死点通過後は弾性復元により、上方小径のテーパ形状に弾性復元することとなるため、特に強く押下げない限り、起立した肩部６が再び第１胴部３内へ落ち込むことはなく、よって通常容器と同様に口頸部を胴部上方へ起立する容器として使用でき、収納物たる液体注出容器が容易である。又、補強紙筒15の第２胴部17の前後両壁19,19 中央部に、第１胴部圧搾用の大透孔18,18 を穿設すると共に、第１、第２胴部３,17 の各左右側壁一部だけを接着して該接着部分を除く第１、第２胴部部分は離脱可能としたから、第１胴部３だけを圧搾でき、よって肉薄のため第１胴部３が圧搾されたままとなって弾性復元しなくても、第２胴部は圧搾されない原形を保つこととなって容器外形が不体裁となることがない。
【００２４】
請求項２の場合は、無底の肉薄容器体１下端の外向きフランジ９下面へ別に設けた底板外周を接着して底壁を形成するだけで、既述請求項１の容器が得られる便利があるほか、第１胴部３を上部小径のテーパ状とし、かつその第１胴部外面へ嵌合させた補強用紙筒15の第２胴部17は、その内面を第１胴部外面へ接して設けたから、又無底肉薄容器体１のキャップ付き口頸部８は、第１胴部３の上端面を閉塞する補強用紙筒15の頂壁の下方に位置させてあるから、複数の紙筒覆合容器形成部材30を、コップ状に多数重ねておくことが出来る便利がある。
【図面の簡単な説明】
【図１】  一部を切欠いて示す、本発明容器の正面図である。
【図２】  図１容器の斜視図である。
【図３】  補強用紙筒の頂部を除去して肉薄容器体の肩部およびキャップ付き口頸部を起立した状態で示す、図１容器の斜視図である。
【図４】  紙筒覆合容器形成部材の半断面図である。
【符号の説明】
１  肉薄容器体            ３  第１胴部
15  紙筒                  23  除去帯
30  紙筒覆合容器形成部材
【図１】
0003670050.tif 000002
【図２】
0003670050.tif 000003
【図３】
0003670050.tif 000004
【図４】
0003670050.tif 000005